(57)【要約】【課題】折れたり欠けたりすることなく、磨り減っても角が残り、使用に便利で、形状が簡単な消しゴムを提供する。【解決手段】三角柱もしくは面取りした三角柱の形状にしたことを特徴とする消しゴムＡ。【選択図】図１
2006110973.tif 000002
【特許請求の範囲】
【請求項１】
三角柱の形状にしたことを特徴とする消しゴム（Ａ１）。
【請求項２】
面取りしたことを特徴とする請求項１記載の消しゴム（Ａ２）。
【発明の詳細な説明】
【技術分野】
【０００１】  本発明は、角ができるだけ残るようにした柱形状の消しゴムに関するものである。
【背景技術】
【０００２】  従来、直方体の消しゴムが多く用いられ、これを使用して細かい部分を消すために、消しゴムの角を用いてきた。しかし、使用に伴って角が磨り減り、丸くなって、細かい部分が正確に消せなくなる問題点があった。これを解決するため、消しゴムの厚さを薄くしたり、細い棒状にしたりした。また、消しゴムの角を多く設けた多数の技術も提案されている。例えば、立体たる字消し体を複数組み合わせ、より多くの外部の突出した角を設けた提案（特許文献１参照）。消しゴムに切れ目を入れ、丸くなっている部分をひっぱって、切り離すことにより新たな角をつくる提案（特許文献２参照）。さらに、消しゴムの断面形状に鈍角、鋭角部を多数もたせた提案（実用新案文献１参照）が知られている。
【特許文献１】特開２００４−３４６２４号公報
【特許文献２】特開平８−１１８８９３号公報
【実用新案文献１】
実登３０３０８６１号公報
【発明の開示】
【発明が解決しようとする課題】
【０００３】  しかし、消しゴムの使用者の年齢層は広範囲であり、使い方は上下・左右・斜めなど、どちらの向きに往復させるか、または回転させるかは使用者によって異なり、消去する文字や図案の形・配置なども多種多様である。さらに、消しゴムを用紙面に押し付ける力にも違いがある。したがって、厚さの薄い消しゴムや細い棒状の消しゴムは、折れたり欠けたりという不具合が生じる場合があった。このことは、角錐や円錐の形状をした消しゴムについても、特に使い初めに同じことが生じやすい。【０００４】  さらに、複数の立体を組み合わせた消しゴムは、他の形状の消しゴムと比較して、より多くの角部を有し意匠の点でも優れている。しかし、使用し磨耗して小さくなり、新たな角をつくるために切断された消しゴムは、小さくて手で持つことが難しく、また紛失し易い。使用後、角が取れ丸くなった部分を切り取る方法は、消しゴムの無駄遣いともなりやすい。【０００５】  そこで本発明は、折れたり欠けたりすることなく、消す動作を繰り返し、消しゴムが磨り減っても、角が残り、使用するのに便利で、形状が簡単な消しゴムを提供することを課題とする。
【課題を解決するための手段】
【０００６】  前記課題を達成するために本発明は、次の具体的手段を採っている。即ち、本発明に係る消しゴムは、三角柱もしくは面取りした三角柱の形状にしたことを特徴とする。
【発明の効果】
【０００７】  本発明は、上記のように構成したことにより、効果は次の通りである。【０００８】  使用当初に、消しゴムを強く押し付けたとしても、折れたり欠けたりすることはない。【０００９】  さらに、辺の端が三角柱の頂点であるため、その部分が角となり、消す動作を繰り返し消しゴムが磨り減っても、全ての辺の端が順次角となる。【００１０】  したがって、三角柱の頂点を角として使用するこの消しゴムは、細かい部分を正確に消すことができる。なお、不必要な部分まで消去しないので、磨耗が少なく、消しゴムを無駄なく使用できる。【００１１】  そして、三角柱の形状をしていることにより、三角柱の一つの側面が上方にある場合、そこを人差し指で押さえるため、用紙面を押す力が少なくてすみ、強く押しながら消す必要がない。また、三角柱の二つの側面を親指と人差し指で挟み、下方にあるもう一つの側面に中指が接する場合、三本の指の力がバランスよく用紙面に伝わり、消去する部分が多くても疲れにくく、使用するのに便利である。【００１２】  加えて、形状が簡単であることから、製造するのにも好適である。
【発明を実施するための最良の形態】
【００１３】  別紙図面の図１〜図８を参照して、本発明に係る実施の形態について説明する。【００１４】  以下に本発明の第１実施形態について述べる。【００１５】  図１は斜視図であり、図２はその平面図である。この消しゴムＡ１は、三角柱の形状をなし、型枠成形により形成されている。【００１６】  具体的には正三角柱の形状にしたこの消しゴムＡ１は、辺の端が立体の頂点となり、辺が順次全て角となる。したがって、細かい部分を消去する場合、この辺の端を使い、使用した辺が磨り減った際には、別の辺の端を角として使用する。また、消去する部分が多い場合、底面２を使用すればよい。【００１７】  さらに断面形状が正三角形であることにより、消しゴムＡ１をつかむ親指・人差し指・中指の指先が、それぞれ消しゴムＡ１の側面１と接するため、消去する部分が多い場合でも、疲れにくく使用するのに便利である。【００１８】  次に本発明の第２実施形態について述べる。【００１９】  図３は辺を面取りした斜視図であり、図４はその平面図である。また、図５は頂点を面取りした斜視図であり、図６はその平面図である。この消しゴムＡ２は、底面２を面取りした正三角柱の形状をなし、型枠成形により形成されている。【００２０】  正三角柱の底面２を面取りしたことにより、この消しゴムＡ２は、使用初めにおいても折れたり欠けたりすることはない。【００２１】  なお類似例として、両端の底面２、一辺もしくは二辺、一辺と一頂点、側面１などを面取りした三角柱の形状にしてもよい。【００２２】  次に本発明の使用方法について述べる。【００２３】  図７は、消しゴムＡ１の使用方法を示す斜視図である。消しゴムＡ１の一つの側面１の上に人差し指をのせ、親指と中指で他の二つの側面１を挟み、消去する部分に消しゴムＡ１を押しあてる。【００２４】  この使用方法は、消去する部分に三角柱の頂点すなわち消しゴムＡ１の角が接触し、押す力が少なくてすむ。また、上下に消しゴムＡ１を往復させるとき便利である。【００２５】  図８は、消しゴムＡ１の別の使用方法を示す斜視図である。消しゴムＡ１の二つの側面１を親指と人差し指で挟み、下方にあるもう一つの側面１に中指をあて、消去する部分に消しゴムＡ１を押しあてる。【００２６】  この使用方法は、消去する部分が多い場合、指が疲れにくい。また、左右に消しゴ厶Ａ１を往復させるとき便利である。【００２７】  なお本発明の消しゴムＡは、筆記具本体またはキャップに取り付けてもよい。【００２８】  さらに本発明の消しゴムＡに、カバーもしくはホルダーなどを別途設けてもよい。【００２９】  その他、本発明の効果を損ねない範囲で変形してもよい。
【図面の簡単な説明】
【００３０】
【図１】本発明の第１実施形態に係る消しゴムの斜視図である。
【図２】図１の消しゴムの平面図である。
【図３】本発明の第２実施形態に係る辺を面取りした消しゴムの斜視図である。
【図４】図３の消しゴムの平面図である。
【図５】同実施形態に係る頂点を面取りした消しゴムの斜視図である。
【図６】図５の消しゴムの平面図である。
【図７】本発明の消しゴムの使用方法を示す斜視図である。
【図８】本発明の消しゴムの別の使用方法を示す斜視図である。
【符号の説明】
【００３１】    Ａ１  消しゴム
Ａ２  消しゴム
Ｂ  用紙面
１  側面
２  底面
３  面取り部
【図１】
2006110973.tif 000003
【図２】
2006110973.tif 000004
【図３】
2006110973.tif 000005
【図４】
2006110973.tif 000006
【図５】
2006110973.tif 000007
【図６】
2006110973.tif 000008
【図７】
2006110973.tif 000009
【図８】
2006110973.tif 000010